(57)【特許請求の範囲】
【請求項１】
各々が、複屈折性材料の膜で被覆された複数個の偏光プレートであって、一方向に連続的に並べられ、かつ隣り合う偏光プレート同士で、該複屈折性材料膜で被覆された表面と、被覆されていない裏面とが、交互になるように配列された複数個の偏光プレートと、
該複数個の偏光プレートの該表面と裏面とを、隣り合う偏光プレート間を通って交互に覆う帯状の偏光シートとを含み、
該偏光プレートと、該帯状偏光シートとを結合してなる組立て体を、折りたたんだ状態から展開した状態に移行させる際に、開く位置を変えることにより、該帯状偏光シートが該偏光プレートの表面を覆う状態と、同裏面を覆う状態とを選択的に入れ替えるようにすることを特徴とする蛇腹状組立て体。
【請求項２】
請求項１に記載の蛇腹状組立て体において、
該帯状偏光シートの表面が、複屈折性材料膜の切片で被覆されており、該帯状偏光シートが該偏光プレートの表面を覆っている状態のときは、偏光シートの該偏光プレート側の面が被覆され、また該偏光シートが該偏光プレートの裏面を覆っている状態のときは、該偏光シートの該偏光プレートと反対側の面が被覆されるように、被覆面が隣り合う偏光プレート同士で交互に表裏逆になっている蛇腹状組立て体。
【請求項３】
請求項１又は２に記載の蛇腹状組立て体において、
該複数個の偏光プレートの各々が、すべて実質的に同一の偏光方位を有している蛇腹状組立て体。
【請求項４】
請求項３に記載の蛇腹状組立て体において、
該偏光プレートの偏光方位と、該帯状偏光シートの偏光方位が実質的に同一である蛇腹状組立て体。
【請求項５】
請求項１乃至４に記載の蛇腹状組立て体において、
該偏光プレートを被覆している該複屈折性材料膜の結晶光学軸の向きと、その偏光プレートの偏光方向とのなす角度θが、０度と９０度の間の任意の値に設定されている蛇腹状組立て体。
【請求項６】
請求項５に記載の蛇腹状組立て体において、
該角度θが、約４５度に設定されている蛇腹状組立て体。
【請求項７】
請求項１乃至６に記載の蛇腹状組立て体において、
該偏光プレートの断面形状が、矩形である蛇腹状組立て体。
【請求項８】
請求項１乃至６に記載の蛇腹状組立て体において、
該偏光プレートの断面形状が、菱形である蛇腹状組立て体。
【請求項９】
請求項１乃至６に記載の蛇腹状組立て体において、
該偏光プレートの断面形状が、レンズ状である蛇腹状組立て体。
【請求項１０】
一方向に連続的に並べられた複数個のミラープレートと、該複数個のミラープレートの表面と裏面とを、隣り合うミラープレート間を通って交互に覆う帯状偏光シートとを含み、該帯状偏光シートの表面が複屈折性材料膜で被覆されており、被覆面が隣り合うミラープレート同士で交互に表裏逆になっており、
該ミラープレートと、該帯状偏光シートとを結合してなる組立て体を、折りたたんだ状態から展開した状態に移行させる際に、開く位置を変えることにより、該帯状偏光シートの表面上の該複屈折性材料膜が該ミラープレート側にある状態と、反対側にある状態とを選択的に入れ替えるようにすることを特徴とする蛇腹状組立て体。
【請求項１１】
請求項１０に記載の蛇腹状組立て体において、
該ミラープレートの各々の表面が、複屈折性材料膜で被覆されており、被覆された表面と被覆されていない裏面とが隣り合うミラープレート同士で交互になっている蛇腹状組立て体。
【請求項１２】
各々が、複屈折性材料の膜で被覆された複数個のミラープレートであって、一方向に連続的に並べられ、かつ隣り合うミラープレート同士で、該複屈折性材料膜で被覆された表面と、被覆されていない裏面とが、交互になるように配列された複数個のミラープレートと、
該複数個のミラープレートの該表面と裏面とを、隣り合うミラープレート間を通って交互に覆うための帯状の偏光シートとを含み、
該ミラープレートと、該帯状偏光シートとを結合してなる組立て体を、折りたたんだ状態から展開した状態に移行させる際に、開く位置を変えることにより、該帯状偏光シートが、該ミラープレートの表面を覆う状態と、同裏面を覆う状態とを選択的に入れ替えるようにすることを特徴とする蛇腹状組立て体。
【発明の詳細な説明】
【０００１】
【発明の属する技術分野】
本発明は、カーテンや窓用シャッター、あるいは被装飾物や玩具などに利用できる蛇腹状組立て体に関する。
【０００２】
【従来の技術】
「蛇腹」とは、一般に、伸縮自在のひだ状のものをいう。これは、従来より、布、プラスティック、木、あるいは皮などの素材から成る細長い矩形状の部材を複数個結合して交互に山折り／谷折りになるように組立てられたもの（以降、蛇腹状組立て体と呼ぶ）であり、全体として折りたたんだり展開したりできるようになっている。
【０００３】
【発明が解決しようとする課題】
従来の蛇腹状組立て体は、その色彩が素材自体もしくは素材表面を被覆する膜材等に依存して定まり、一般に固定的なものである。ただし、唯一の例外として、江戸時代から伝わる民芸玩具である“ぺタクタ”を応用したプレート状の蛇腹状隠し絵オモチャがある。このオモチャに用いられる蛇腹は、その表面部材が２重構造になっており、展開の仕方よって隠された絵模様や色彩などが現れるようになっている。しかしながら、この場合でも蛇腹の色模様は予め描かれたものに留まるものである。もっとも、（実用化はされていないようであるが）特殊な方法として、ホログラムの原理を用いて、立体表面にあしらうべき画像平面部材を作成すれば、見る角度によって像の形や色彩等が多様に変化するような、例えば、被装飾物としての蛇腹を作製することが可能となる。
【０００４】
しかしながら、ホログラム方式による、特に白色光再生画像の作成は技術的にかなり高度なものであり、その作成は容易でなく、コスト高ともなる。したがって、安価な製品用の蛇腹の作製にホログラム手法を採用するのは得策ではない。
【０００５】
本発明は、上述したような従来技術の問題点に鑑みなされたもので、極めて簡単な構成でありながら、蛇腹の展開の仕方で無色透明（あるいは、半透明）の状態から有色透明の着色状態に変化し、しかも見る角度により色彩が変化するような蛇腹状組立て体を提供するものである。
【０００６】
【課題を解決するための手段】
上記目的を達成するために、本発明に係る蛇腹状組立て体は、各々が、複屈折性材料の膜で被覆された複数個の偏光プレートと、これら複数個の偏光プレートを覆う帯状偏光シートとから成る。複数個の偏光プレートは、一方向に連続的に並べられ、かつ隣り合う偏光プレート同士で、（複屈折性材料膜で被覆される）表面（おもてめん）と、（被覆されない）裏面とが、交互になるように配列されている。また、帯状偏光シートは、偏光プレートの表面と裏面とを、隣り合う偏光プレート間を通って交互に覆うようになっている。そして、偏光プレートと帯状偏光シートとを結合して成る組立て体を、折りたたんだ状態から展開した状態に移行させる際に、たたむ際に閉じたところと異なるところを開くことにより、帯状偏光シートが該偏光プレートの表面を覆う状態と、それが同裏面を覆う状態とが入れ替わるようになっている。このようにして構成された、本発明の蛇腹状組立て体は、偏光プレート、複屈折性材料膜及び偏光シート相互の光学的な作用によって発色性を有するに至る。即ち、偏光シートが各偏光プレートの裏面を覆っている状態では、蛇腹は無色半透明であるが、この状態から、偏光シートが偏光プレートの表面を覆う状態に移行すると、蛇腹は直ちに発色する。そして、その色彩は、所定の特性（複屈折性材料膜の結晶光学軸の向き、偏光プレートの偏光方位及び複屈折性材料膜の膜厚など）に依存して決まる。また、色彩は、見る角度によって玉虫色のように変化する。本発明の蛇腹状組立て体においては、さらに、帯状偏光シートの表面が、複屈折性材料膜の切片で被覆される。この複屈折性材料膜の切片による被覆の仕方としては、帯状偏光シートが、偏光プレートの表面を覆っている状態のときは、偏光シートの偏光プレート側の面が被覆され、また偏光シートが偏光プレートの裏面を覆っている状態のときは、偏光シートの偏光プレートと反対側の面が被覆されるように、被覆面が隣り合う偏光プレート同士で交互に表裏逆になっている。こうすることにより、偏光プレート側の複屈折性材料膜と、偏光シート側の複屈折性材料膜の光学的相互作用により色彩が決まるので、色模様変化のバリエーションが増すこととなる。
【０００７】
本発明の一局面においては、複数個の偏光プレートの各々が、すべて実質的に同一の偏光方位を有しており、また、偏光プレートの偏光方位と、偏光シートの偏光方位が実質的に同一になっている。
【０００８】
さらに、本発明においては、蛇腹の発色の条件として、偏光プレートを被覆している複屈折性材料膜の結晶光学軸の向きと、その偏光プレートの偏光方位とのなす角度θが、０度と９０度の間の任意の値に設定される。角度θが丁度０度及び９０度のときには、光学上発色効果が生じないからである。好適には、その角度θは、約４５度に設定される。θが４５度のときに、色彩が最も鮮明になるからである。
【０００９】
以上の説明は、折りたたみ展開／操作により蛇腹の透過光が発色するようないわば透過光型蛇腹の構成に向けられているが、本発明によれば、透過光型蛇腹の変形としての反射光型蛇腹を構成することも可能である。本発明による反射光型蛇腹状組立て体は、一方向に連続的に並べられた複数個のミラープレートと、これら複数個のミラープレートの表面と裏面とを、隣り合うミラープレート間を通って交互に覆う帯状偏光シートであって、その表面が複屈折性材料膜で被覆され、被覆面が隣り合う偏光プレート同士で交互に表裏逆になっている帯状偏光シートとを含んでいる。
【００１０】
そして、ミラープレートと、帯状偏光シートとを結合してなる組立て体を、折りたたんだ状態から展開した状態に移行させる際に、開く位置を変えることにより、該帯状偏光シートの表面を被覆する該複屈折性材料膜がプレート側にある状態と、反対側にある状態とが選択的に入れ替わるようになっている。
【００１１】
もしくは、各々が、複屈折性材料の膜で被覆された複数個のミラープレートであって、一方向に連続的に並べられ、かつ隣り合うミラープレート同士で、複屈折性材料膜で被覆された表面と、被覆されていない裏面とが交互になるように配列された複数個のミラープレートと、これら複数個のミラープレートの表面と裏面とを、隣り合うプレート間を通って交互に覆うための帯状偏光シートとを含んでいる。そして、ミラープレートと、帯状偏光シートとを結合してなる組立て体を、折りたたんだ状態から展開した状態に移行させる際に、開く位置を変えることにより、帯状偏光シートがミラープレートの表面を覆う状態と、同裏面を覆う状態とが選択的に入れ替わるようになっている。
【００１２】
【発明の実施の形態】
発明の実施の形態を実施例に基づき図面を参照しながら、以下において説明する。
【００１３】
図１は、本発明に従う蛇腹状組立て体の構成要素を示す図である。図１−（ａ）は、蛇腹を形成する第１の構成要素としての、複屈折性材料膜の切片で被覆された偏光プレート１であり、ａ、ｂ、ｃ及びｄは偏光プレート面の各区画を表わし、２、３、４及び５は、夫々偏光プレートの区画ａ、ｂ、ｃ及びｄを被覆する複屈折性材料膜の切片である。図１−（ａ）において、矢印イ及びロは、夫々偏光プレート１の偏光方位及び複屈折性材料膜の結晶光学軸の向きを表わしている。図１−（ｂ）は、図１−（ａ）の偏光プレートを覆うための第２の構成要素としての帯状偏光シート６を示し、一例として４枚の偏光プレートの夫々の区画を覆うよう区画ｅ、ｆ、ｇ及びｈを有し、偏光プレートの幅の４倍の長さを有している。図２は、本発明に従い、図１−（ａ）に示すようにして構成された偏光プレート７、８、９、１０を、一例として４枚左右の方向に並べたものを示している。複屈折性材料膜切片１１、１２で被覆されている面が隣り合う偏光プレート間で交互に逆となっている点に注意されたい。図３は、図２に示されるように並べられた４枚の偏光プレート１５、１６、１７及び１８を、図１−（ｂ）に示されるような帯状偏光シートを４枚用いて覆うことにより、組立てられた本発明に係る蛇腹状組立て体を示している。図３−（ａ）は平面図、図３−（ｂ）は断面図である。図３において、１５、１６、１７及び１８は、各々偏光プレートであり、また、２０、２１、２２及び２３は各々帯状偏光シートである。図３−（ｂ）中黒で塗りつぶされた部分は奇数行（帯状偏光シート２０又は２２で覆われた行）の各偏光プレートを被覆する複屈折性材料膜の切片を、また斜線の部分は偶数行（帯状偏光シート２１又は２３で覆われた行）の各偏光プレートを被覆する複屈折性材料膜の切片を示している。各帯状偏光シートが、各偏光プレートの（複屈折性材料膜切片で被覆されていない）裏面を常に覆うよう交互に上下になっている点に注意されたい。
【００１４】
次に、図４−（ａ）は、帯状偏光シートの別の作成方法を示す図である。この方法においては、帯状シートの４つの区画ｅ、ｆ、ｇ、ｈの夫々が、複屈折性材料膜切片３１、３２、３３、３４で、隣り合う区画間で被覆面が交互に逆になるように、被覆される。図４−（ｂ）は、この帯状偏光シートを利用して、図３と同様の仕方で偏光プレートが被覆される様子を示している。（尚、ここでは見易くするために奇数行のみの偏光プレート及び帯状偏光シートの断面が示されており、偶数行は省略されている。）図４−（ｂ）において、４０、４１、４２及び４３は偏光プレートであり、４４は複屈折性材料膜切片で図４−（ａ）のようにして被覆された帯状偏光シートである。また、図中で塗りつぶされた部分４５は偏光プレート表面上を被覆する複屈折性材料膜切片を、またハッチングの部分４６は帯状偏光シート上を被覆する複屈折性材料膜切片である。
【００１５】
図５及び図６は、図３又は図４−（ｂ）のようにして構成された蛇腹状組立て体を折りたたみ、ついで閉じたところとは別のところを開くようにして展開する場合の一連の過程を示す図である。図５−（ａ）は、図３又は図４−（ａ）に示されるようにして構成された蛇腹状組立て体の外観を示す。この状態では、蛇腹は、無色半透明であり発色していない。この蛇腹は図５−（ｂ）の状態を経て（ｃ）のように完全に折りたたまれる。ついで、折りたたみ時に閉じた部分と別の部分と開きながら（ｄ）を経て（ｅ）のように展開すると、蛇腹は複屈折性材料膜切片で被覆された偏光プレートの部分が発色する。図６は、図３に示されるようにして構成された組立て体の折りたたみ乃至展開の一連の過程を断面図にて示す図であり、折りたたみついで展開する過程で複屈折性材料膜切片で被覆された面と帯状偏光シート面の位置関係が変化する。つまり、帯状偏光シート５０は、はじめ偏光プレート５２の（複屈折性材料膜の切片で被覆されていない)裏面側を覆っている状態にあるが（図６−（ａ))、折りたたんだ後に、閉じたところとは別のＰの箇所を開いて展開するようにすると、帯状シート５０は、偏光プレート５２の（複屈折性材料膜切片５１で被覆されている)表面側を覆う状態へと変化する（図６−（ｅ))。
【００１６】
図７は、図４−（ｂ）に示されるようにして構成された蛇腹組立て体の折りたたみ乃至展開過程を断面図にて示す図であり、図６と同様、折りたたみ状態から展開する過程で複屈折性材料膜切片で被覆された面と帯状偏光シート面の位置関係が変化する。つまり、折りたたんだ蛇腹（図７−（ｃ)）をｑ点の箇所から開いて展開することにより、帯状偏光シート５５が偏光プレート５７の裏面を覆っている状態から（図７−（ａ))、帯状偏光シート５５が偏光プレート５７の表面を覆う状態(図７−（ｅ）)へと変化する。しかも、偏光プレート面上の複屈折性材料膜５６と、帯状偏光シート面上の複屈折性材料膜５８とが対向して接触しこれらを偏光プレート５７と偏光シート５５ではさみ込んだ（サンドイッチした)形態になる。
【００１７】
図８は、本発明の蛇腹状組立て体の発色の様子を示す図であり、図８−（ａ）は図３に示されるようにして構成された蛇腹状組立て体の発色パターンを、また図８−（ｂ）は、図４−（ｂ）に示されるようにして構成された蛇腹状組立て体の発色パターンを示している。
【００１８】
双方とも複屈折性材料膜切片の被覆領域のみが発色する。発する色は、一般に複屈折性材料膜の膜厚と、その結晶光学軸が（被覆される偏光プレートの)偏光方位となす角度θに依存して定まる。即ち、色相はｄ／（２ｎ＋１)（ｄ：膜厚、ｎ：自然数）に依存して、またその鮮明度はθに依存して決まる。もう少し具体的にいうと、（複屈折性材料膜が被覆される)偏光プレートと、帯状偏光シートの偏光方位が同じときは白色光からｄ／（２ｎ＋１）の波長の光が減じられた光の色となり、偏光プレートと、帯状偏光シートの偏光方位が互いに直交するときには、ｄ／（２ｎ＋１）の波長の光が増強された光の色となり、θが４５度のときに最も鮮明度が高くなりθ＝０度及び９０度のときは色は消滅する（無色となる）。
【００１９】
上述のような光学効果が生ずる理由は、次の通りである。偏光プレートに白色無偏光波が入射すると、偏光プレートを通過する際に平面偏光波が生成される。この平面偏光波が、複屈折性材料膜に（その光学軸に対して偏光面がθの角度をなして）入射すると、複屈折性材料膜中で複屈折（即ち、互いに振動面が直交する常光線と、異常光線とに分離する現象）がおきる。そして、これら常光線と異常光線の伝播速度の差に起因して、それらの位相が互いにずれ合い、特定の波長λの光について常光線と異常光線の間でλ／２の奇数倍がｄに相当する分だけ位相がずれ合う。このため、入射偏光の偏光面に対して角度２θだけ回転した偏光面をもつその特定波長λの平面偏光が、複屈折性材料膜から出射することとなる。次に、この平面偏光が偏光シートに入射すると偏光シートが特定波長λの偏光を通過させる場合（即ち、波長λの偏光波の偏光面が偏光シートの偏光方位と平行になる場合）は、その特定の波長λの光が強調され、また逆にそれを遮断する場合（即ち、偏光面と偏光方位が直交する場合）は、その特定波長λの光が弱められることになる。このため、偏光シートの偏光方位を適当に調整すれば、ほぼ波長λの光あるいはほぼそれと補色関係にある色の光を選択的にとり出すことが可能となる。尚、見る角度によって色彩が玉虫色のように変化するのは、複屈折性材料膜中の光の行路長（約ｄ）が、光の通過方向によってわずかに異なり、それが変化することによる。上述した、蛇腹状組立て体の構成の実施例では、説明を簡単にするため、偏光プレートを４枚、帯状偏光シートを同じく４枚用いたが、偏光プレート及び偏光シートを、夫々任意の枚数ｍ及びｎ設けて同様の仕方で蛇腹を構成することも無論可能である。また、偏光プレート表面上の一部の領域のみを複屈折性材料膜の切片で被覆するようにしたが、偏光プレートの各区画の全領域を被覆することも、さらにいくつかの膜を用意して重ね貼りすることも可能である。図９−（ａ）は、偏光プレートを１０枚用意し、各プレートを６区画に分け、かつ６枚の帯状偏光シートで覆うよう構成し、また各区画の全面を複屈折性材料膜で被覆した実施例を示す図である。図９−（ｂ）は、その場合の発色の様子を示している。さらに、図１０は、複屈折性材料膜をしま状に裁断した切片を複数個用意してこれを重ね貼りした例、及びその場合の発色の様子を示す図である。図１０−（ａ）は、偏光プレート６０の上を、複屈折性材料膜の４枚の矩形状切片６１、６２、６３、６４をこの順番で次々と被覆した例を示している。複屈折性材料膜の膜厚をｄとすると、図中の領域Ｃ1とＣ7の領域は膜厚ｄで、領域Ｃ2とＣ6は膜厚２ｄで、領域Ｃ3とＣ5は膜厚３ｄで、また領域Ｃ4は膜厚４ｄで、夫々被覆されることになる。前に説明したように発する色は膜厚に依存するから、図１０−（ｂ）に示すような発色パターンとなる。同様に、図１０−（ｃ）は、偏光プレート７０表面上を複屈折性材料膜の６枚の３角形状切片７１、７２、７３、７４、７５、７６で被覆した例を示す。この場合の発色パターンは、図１０−（ｄ）に示すごとくとなる。
【００２０】
以上説明してきた本発明の蛇腹状組立て体は、何れも蛇腹の折りたたみ／展開操作により透過光が発色するようないわば、“透過光型蛇腹”というべきものであるが、これを変形して“反射光型蛇腹”を本発明の原理に従って構成することも可能である。図１１は、そのような反射光型蛇腹状組立て体の２種類の構成例の断面構造を示している。図１１−（ａ）において、８０は透過光型の場合の偏光プレートの代わりに用いられる（光を反射する面を有する）ミラープレート、８１は透過型と同様の偏光シート、及び８２はミラープレート上を被覆する複屈折性材料膜である。図１１−（ａ）の上側は、蛇腹の初期状態の構造、即ち発色前の構造を示す図であり、下側は折りたたみ及び再展開操作により発色した状態の構造を示す図である。図１１−（ａ）及び（ｂ）に示されるものが、反射光型蛇腹状組立て体の典型的構成であるが、図１１−（ａ）の構成において、さらに帯状シート８１の表面を、図１１−（ｂ）のようにして複屈折性材料膜の切片８３で被覆するようにしてもよい。
【００２１】
さらに、以上の説明において、本発明の蛇腹の主構成要素として用いられる偏光プレート（あるいは、ミラープレート）としては、もっぱら矩形状の薄板を想定してきた。しかしながら、本発明の蛇腹を構成するにあたっては、偏光プレート（あるいは、ミラープレート）の断面形状を矩形のみに限る必要はない。むしろ、矩形以外の特定の断面形状のものを用いた方が都合の良いこともある。図１２は、そのような例を示す図であり、図１２−（ａ）及び（ｂ）は、夫々本発明の蛇腹を構成するのに適した、偏光プレート等の断面形状としての「菱形」と［レンズ形］を示すとともに、それを用いて組立てられた蛇腹の外観を示している。
【００２２】
尚、本発明は、偏光プレートあるいは、ミラープレート（つまり、平坦な断面形状）以外の偏光（あるいはミラー）部材を用いても、本発明の原理を適用することができる。例えば、図１３に示されるような正方形断面又は円形断面の偏光部材を用いて蛇腹を組立てることができ、折りたたみ／展開操作により、平板状部材を用いた場合と、同様の色彩変化が生じる。
【００２３】
【発明の効果】
本発明による蛇腹状組立て体は、以上説明したように構成されるので、次のような作用効果を奏する。
【００２４】
（ｉ）無色透明（又は無色半透明）な展開状態から、折りたたみ、再展開操作を行うと、有色透明（又は、有色半透明）の状態に変化するので、その色変りの意外性が楽しめる。
【００２５】
（ｉｉ）発色状態にある場合、観察者の見る角度によって色相及び色の鮮明度が変化するので色彩の動的変化が楽しめる。
【００２６】
（ｉｉｉ）色は、透過光により生成されるものなのでクリヤで且つ明るい。
【００２７】
（ｉＶ）板ガラス等のような、予め着色された部材の重ね合わせによる混色ではなく、光学的な相互作用によるものなので、色の明度が減少しない。
【００２８】
（Ｖ）本発明の蛇腹状組立て体を作製するのに必要な材料は、偏光プレート、複屈折性材料膜及び偏光シートだけであり、これらは、市場で容易かつ安価に入手でき、また作製も簡単であるから、製品のコストを十分下げることができる。
【図面の簡単な説明】
【図１】本発明の蛇腹状組立て体の構成要素を示す図である。
【図２】図１−（ａ）に示されるようにして作成された偏光プレートを左右方向に並べた図である。
【図３】本発明の蛇腹状組立て体の構成例を示す図である。
【図４】本発明の蛇腹状組立て体の構成要素である帯状偏光シートを示す図である。
【図５】本発明の蛇腹状組立て体の折りたたみ乃至展開の過程を示す図である。
【図６】図３に示されるような仕方で構成された蛇腹状組立て体の折りたたみ乃至展開の過程を示す断面図である。
【図７】図４−（ｂ）に示されるような仕方で構成された蛇腹状組立て体の折りたたみ乃至展開の過程を示す断面図である。
【図８】本発明の蛇腹状組立て体の発色の様子を示す図である。
【図９】本発明の他の構成例及びその場合の発色の様子を示す図である。
【図１０】複屈折性材料膜の切片を重ね貼りした例とその場合の発色の様子を示す図である。
【図１１】ミラープレートを用いた反射光型蛇腹状組立て体の断面を示す図である。
【図１２】本発明の蛇腹を構成するのに特に適した、偏光プレート等の断面形状及びそれを用いた蛇腹状組立て体の外観を示す図である。
【図１３】本発明の蛇腹状組立て体の他の構成例を示す図である。
【符号の説明】
１、７〜１０、１５〜１８、４０〜４３、５７、６０      偏光プレート
２〜５、１１、１２、４０、４６、５６、５８、６１〜６４、７１〜７６、８２、８３      複屈折性材料膜の切片
６、２０〜２３、４４、５５、８１      帯状偏光シート
８０      ミラープレート
【図１】
0004187388.tif 000002
【図２】
0004187388.tif 000003
【図３】
0004187388.tif 000004
【図４】
0004187388.tif 000005
【図５】
0004187388.tif 000006
【図６】
0004187388.tif 000007
【図７】
0004187388.tif 000008
【図８】
0004187388.tif 000009
【図９】
0004187388.tif 000010
【図１０】
0004187388.tif 000011
【図１１】
0004187388.tif 000012
【図１２】
0004187388.tif 000013
【図１３】
0004187388.tif 000014